(57)【特許請求の範囲】
【請求項１】
表示対象の立体物を撮像した物体画像データと、該物体画像データの表示サイズ情報と、前記物体画像データ上の実物大長さが既知である２点の位置座標情報と、前記２点間の実物大長さ情報と、前記２点間の長さが実物大長さであることを示す指示画像データとを入力する画像情報入力手段と、
前記物体画像データを表示装置に表示した場合に、前記２点間の長さが前記表示装置の画面上において実物大長さになるように、前記２点間の実物大長さ情報と前記物体画像データの表示サイズ情報とに基づいて、前記物体画像データと前記指示画像データとを伸縮し、伸縮した前記物体画像データに前記指示画像データを重ね合わせた出力用画像データを生成して出力する出力画像データ生成手段と、
前記出力用画像データを前記表示装置へ出力して表示する表示手段と
を備えたことを特徴とする画像データ表示装置。
【請求項２】
前記画像情報入力手段は、前記物体画像データ上の実物大長さが既知である２点の位置座標情報と、前記２点間の実物大長さ情報の組を複数入力し、
前記２点の位置座標情報と、前記２点間の実物大長さ情報の組を切替操作する操作手段をさらに備え、
前記出力画像データ生成手段は、前記操作手段によって切り替えられた前記２点の位置座標情報と、前記２点間の実物大長さ情報の組に基づいて、前記出力用画像データを生成することを特徴とする請求項１に記載の画像データ表示装置。
【請求項３】
比較対象の立体物を撮像した比較物体画像データと、該比較物体画像データの表示サイズ情報と、前記比較物体画像データ上の実物大長さが既知である２点の位置座標情報と、前記２点間の実物大長さ情報と、前記２点間の長さが実物大長さであることを示す指示画像データとが、複数の比較対象物体について記憶された記憶手段と、
前記記憶手段に記憶されている比較対象物体を選択操作する選択手段とをさらに備え、
前記出力画像データ生成手段は、前記選択手段により選択された比較対象物体の比較物体画像データを前記表示装置に表示した場合に、前記２点間の長さが前記表示装置の画面上において実物大長さになるように、前記２点間の実物大長さ情報と前記比較物体画像データの表示サイズ情報とに基づいて、前記比較物体画像データと前記指示画像データとを伸縮し、伸縮した前記比較物体画像データに前記指示画像データを重ね合わせた比較画像データを生成して出力し、
前記表示手段は、前記比較画像データと前記出力画像データとを並列させて前記表示装置に表示することを特徴とする請求項１に記載の画像データ表示装置。
【請求項４】
表示対象の立体物を撮像した物体画像データと、該物体画像データの表示サイズ情報と、前記物体画像データ上の地面位置と前記立体物の高さ位置の２点の位置座標情報と、前記立体物の地上高さ情報とを入力する画像情報入力手段と、
表示装置の画面下端の設置高さ情報を入力する設置高さ入力手段と、
前記物体画像データを表示装置に表示した場合に、前記２点間の長さが前記表示装置の画面上において実物大長さになるように、前記立体物の地上高さ情報と前記物体画像データの表示サイズ情報とに基づいて、前記物体画像データを伸縮するとともに、前記表示装置に表示した前記立体物の高さが地上高さと一致するように、前記設置高さ情報に基づいて前記立体物の表示位置を調整した出力用画像データを生成して出力する出力画像データ生成手段と、
前記出力用画像データを前記表示装置へ出力して表示する表示手段と
を備えたことを特徴とする画像データ表示装置。
【請求項５】
印刷対象の立体物を撮像した物体画像データと、該物体画像データの印刷サイズ情報と、前記物体画像データ上の実物大長さが既知である２点の位置座標情報と、前記２点間の実物大長さ情報と、前記２点間の長さが実物大長さであることを示す指示画像データとを入力する画像情報入力手段と、
前記物体画像データを印刷装置により印刷媒体に印刷した場合に、前記２点間の長さが印刷媒体上において実物大長さになるように、前記２点間の実物大長さ情報と前記物体画像データの印刷サイズ情報とに基づいて、前記物体画像データと前記指示画像データとを伸縮し、伸縮した前記物体画像データに前記指示画像データを重ね合わせた出力用画像データを生成して出力する出力画像データ生成手段と、
前記出力用画像データを前記印刷装置へ出力して印刷する印刷手段と
を備えたことを特徴とする画像データ出力装置。
【請求項６】
画像情報入力手段と、出力画像データ生成手段と、表示手段とを備えた画像データ表示装置における画像データ表示方法であって、
前記画像情報入力手段が、表示対象の立体物を撮像した物体画像データと、該物体画像データの表示サイズ情報と、前記物体画像データ上の実物大長さが既知である２点の位置座標情報と、前記２点間の実物大長さ情報と、前記２点間の長さが実物大長さであることを示す指示画像データとを入力する画像情報入力ステップと、
前記出力画像データ生成手段が、前記物体画像データを表示装置に表示した場合に、前記２点間の長さが前記表示装置の画面上において実物大長さになるように、前記２点間の実物大長さ情報と前記物体画像データの表示サイズ情報とに基づいて、前記物体画像データと前記指示画像データとを伸縮し、伸縮した前記物体画像データに前記指示画像データを重ね合わせた出力用画像データを生成して出力する出力画像データ生成ステップと、
前記表示手段が、前記出力用画像データを前記表示装置へ出力して表示する表示ステップと
を有することを特徴とする画像データ表示方法。
【請求項７】
画像情報入力手段と、設置高さ入力手段と、出力画像データ生成手段と、表示手段と
を備えた画像データ表示装置における画像データ表示方法であって、
前記画像情報入力手段が、表示対象の立体物を撮像した物体画像データと、該物体画像データの表示サイズ情報と、前記物体画像データ上の地面位置と前記立体物の高さ位置の２点の位置座標情報と、前記立体物の地上高さ情報とを入力する画像情報入力ステップと、
前記設置高さ入力手段が、表示装置の画面下端の設置高さ情報を入力する設置高さ入力ステップと、
前記出力画像データ生成手段が、前記物体画像データを表示装置に表示した場合に、前記２点間の長さが前記表示装置の画面上において実物大長さになるように、前記立体物の地上高さ情報と前記物体画像データの表示サイズ情報とに基づいて、前記物体画像データを伸縮するとともに、前記表示装置に表示した前記立体物の高さが地上高さと一致するように、前記設置高さ情報に基づいて前記立体物の表示位置を調整した出力用画像データを生成して出力する出力画像データ生成ステップと、
前記表示手段が、前記出力用画像データを前記表示装置へ出力して表示する表示ステップと
を有することを特徴とする画像データ表示方法。
【請求項８】
画像情報入力手段と、出力画像データ生成手段と、印刷手段とを備えた画像データ出力装置における画像データ表示方法であって、
前記画像情報入力手段が、印刷対象の立体物を撮像した物体画像データと、該物体画像データの印刷サイズ情報と、前記物体画像データ上の実物大長さが既知である２点の位置座標情報と、前記２点間の実物大長さ情報と、前記２点間の長さが実物大長さであることを示す指示画像データとを入力する画像情報入力ステップと、
前記出力画像データ生成手段が、前記物体画像データを印刷装置により印刷媒体に印刷した場合に、前記２点間の長さが印刷媒体上において実物大長さになるように、前記２点間の実物大長さ情報と前記物体画像データの印刷サイズ情報とに基づいて、前記物体画像データと前記指示画像データとを伸縮し、伸縮した前記物体画像データに前記指示画像データを重ね合わせた出力用画像データを生成して出力する出力画像データ生成ステップと、
前記印刷手段が、前記出力用画像データを前記印刷装置へ出力して印刷する印刷ステップと
を有することを特徴とする画像データ出力方法。
【請求項９】
表示対象の立体物を撮像した物体画像データと、該物体画像データの表示サイズ情報と、前記物体画像データ上の実物大長さが既知である２点の位置座標情報と、前記２点間の実物大長さ情報と、前記２点間の長さが実物大長さであることを示す指示画像データとを入力する画像情報入力ステップと、
前記物体画像データを表示装置に表示した場合に、前記２点間の長さが前記表示装置の画面上において実物大長さになるように、前記２点間の実物大長さ情報と前記物体画像データの表示サイズ情報とに基づいて、前記物体画像データと前記指示画像データとを伸縮し、伸縮した前記物体画像データに前記指示画像データを重ね合わせた出力用画像データを生成して出力する出力画像データ生成ステップと、
前記出力用画像データを前記表示装置へ出力して表示する表示ステップと
をコンピュータに行わせることを特徴とする画像データ表示プログラム。
【請求項１０】
表示対象の立体物を撮像した物体画像データと、該物体画像データの表示サイズ情報と、前記物体画像データ上の地面位置と前記立体物の高さ位置の２点の位置座標情報と、前記立体物の地上高さ情報とを入力する画像情報入力ステップと、
表示装置の画面下端の設置高さ情報を入力する設置高さ入力ステップと、
前記物体画像データを表示装置に表示した場合に、前記２点間の長さが前記表示装置の画面上において実物大長さになるように、前記立体物の地上高さ情報と前記物体画像データの表示サイズ情報とに基づいて、前記物体画像データを伸縮するとともに、前記表示装置に表示した前記立体物の高さが地上高さと一致するように、前記設置高さ情報に基づいて前記立体物の表示位置を調整した出力用画像データを生成して出力する出力画像データ生成ステップと、
前記出力用画像データを前記表示装置へ出力して表示する表示ステップと
をコンピュータに行わせることを特徴とする画像データ表示プログラム。
【請求項１１】
印刷対象の立体物を撮像した物体画像データと、該物体画像データの印刷サイズ情報と、前記物体画像データ上の実物大長さが既知である２点の位置座標情報と、前記２点間の実物大長さ情報と、前記２点間の長さが実物大長さであることを示す指示画像データとを入力する画像情報入力ステップと、
前記物体画像データを印刷装置により印刷媒体に印刷した場合に、前記２点間の長さが印刷媒体上において実物大長さになるように、前記２点間の実物大長さ情報と前記物体画像データの印刷サイズ情報とに基づいて、前記物体画像データと前記指示画像データとを伸縮し、伸縮した前記物体画像データに前記指示画像データを重ね合わせた出力用画像データを生成して出力する出力画像データ生成ステップと、
前記出力用画像データを前記印刷装置へ出力して印刷する印刷ステップと
をコンピュータに行わせることを特徴とする画像データ出力プログラム。
【発明の詳細な説明】
【技術分野】
【０００１】
本発明は、画像データ表示システム、画像データ出力装置、画像データ表示方法、及びプログラムに関する。
【背景技術】
【０００２】
近年、ネットワークを利用したサービスの普及により、インターネットを用いたショッピングの市場が広がりをみせている。このようなショッピングは、実際に商品を展示し、又は販売する通常の店舗と比較して、商品の品揃えが桁違いに豊富であり、さらに商品の価格も比較的安くできるという利点を有している。
【０００３】
一方で、上記ショッピングには、実際の商品が見られない、実際の商品に触れられない等の欠点もある。この欠点は、購入者による商品の大きさの誤解を生み、購入して手元に届けられた商品の大きさが想像していたものと異なっていた、というトラブル発生の原因となっている。
【０００４】
上記欠点を補うための１つの方法として、商品の実物大表示を行うことが考えられている。実物大表示をするためには比較的大きなディスプレイが必要となるため、従来、実物大表示が真剣に議論されることはほとんどなかったが、最近は、大型液晶ディスプレイに代表される大型表示装置が開発され、家庭内においても５０インチを超えるフラットパネルテレビを購入するユーザが増加しつつある。そのため、実物大表示が現実味を帯びてきている。
【０００５】
特許文献１には、実物大表示を実現する技術の例が開示されている。この技術では、表示画面のサイズ及び縦横比と、表示対象画像データの基準表示サイズと、に基づいて決定した拡大・縮小率で表示対象画像データを拡大・縮小することにより、実物大表示を実現している。
【特許文献１】特開２００３−２１９３７２号公報
【発明の開示】
【発明が解決しようとする課題】
【０００６】
しかしながら、実物大表示が購入者の更なる誤解を生むおそれもある。すなわち、立体物の画像を２次元のディスプレイを用いて実物大表示する際には実物の大きさと相違する部分が必ず生ずる。例えば、立体物の斜視図では、横方向の長さを実物大に合わせると、奥行き方向は実物大長さにはならない。また、カメラからの遠近によって被写体の縮小率が異なるため、立体物の構成要素のうち、例えばカメラから遠い部分の長さを実物大に合わせると、カメラから近い部分の長さは実物大にならない。上記従来の実物大表示技術では、ユーザが、以上のような理由で実物大表示されていない部分をも実物大表示されていると誤解してしまうおそれがある。
【０００７】
従って、本発明の課題は、立体物の画像を２次元のディスプレイを用いて実物大表示する際、実物の大きさとなっている部分を明示できる画像データ表示システム、画像データ出力装置、画像データ表示方法、及びプログラムを提供することにある。
【課題を解決するための手段】
【０００８】
上記課題を解決するための本発明にかかる画像データ表示システムは、立体物の平面投影画像を含む物体画像の表示サイズを取得する表示サイズ取得手段と、前記表示サイズで前記物体画像を表示した場合に、該物体画像内に表示される前記平面投影画像中の２つの位置であって、その間の長さが実物大長さとなる両位置を示す指示画像データを取得する指示画像データ取得手段と、前記物体画像を前記表示サイズで表示し、併せて前記指示画像データに基づく表示処理を行う表示装置と、を含むことを特徴とする。
これによれば、立体物の画像を２次元のディスプレイを用いて実物大表示する際、指示画像により、実物大長さとなっている部分を明示できる。
【０００９】
また、上記画像データ表示システムにおいて、前記指示画像データは、前記両位置の間の実物大長さを示すデータを含む、こととしてもよい。
これによれば、表示装置において表示される画像を見た者は、上記データにより指示された部分の長さを知ることができる。
【００１０】
また、上記各画像データ表示システムにおいて、前記表示装置は、前記表示サイズとなるよう、前記物体画像を伸縮して表示する、こととしてもよい。
これによれば、表示装置に表示サイズを出力することにより、実物大表示を実現できる。
【００１１】
また、上記各画像データ表示システムにおいて、前記出力用画像生成手段は、前記物体画像のドットサイズを、前記表示サイズと、前記表示装置の表示面のドットピッチと、に基づいて制御し、前記表示装置は、前記物体画像をドットバイドット表示する、こととしてもよい。
これによれば、表示装置でドットバイドット表示されたときに上記表示サイズで表示されることになるよう物体画像のドットサイズを決定できるので、ドットバイドット表示を行う表示装置を用いる場合に、実物大表示を実現できる。
【００１２】
また、本発明にかかる画像データ出力装置は、立体物の平面投影画像を含む物体画像の表示サイズを取得する表示サイズ取得手段と、前記表示サイズで前記物体画像を表示した場合に、該物体画像内に表示される前記平面投影画像中の２つの位置であって、その間の長さが実物大長さとなる両位置を示す指示画像データを取得する指示画像データ取得手段と、前記物体画像と前記指示画像データと前記表示サイズとを表示装置に対して出力する出力手段と、を含むことを特徴とする。
【００１３】
また、本発明の他の一側面にかかる画像データ出力装置は、立体物の平面投影画像を含む物体画像の表示サイズを取得する表示サイズ取得手段と、前記表示サイズで前記物体画像を表示した場合に、該物体画像内に表示される前記平面投影画像中の２つの位置であって、その間の長さが実物大長さとなる両位置を示す指示画像データを取得する指示画像データ取得手段と、前記物体画像のドットサイズを、前記表示サイズと、表示装置の表示面のドットピッチと、に基づいて制御するドットサイズ制御手段と、前記ドットサイズ制御手段による制御後の前記物体画像と、前記指示画像データと、を前記表示装置に対して出力する出力手段と、を含むことを特徴とする。
【００１４】
また、本発明のさらに他の一側面にかかる画像データ出力装置は、立体物の平面投影画像を含む物体画像の表示サイズを取得する表示サイズ取得手段と、前記表示サイズで前記物体画像を表示した場合に、該物体画像内に表示される前記平面投影画像中の２つの位置であって、その間の長さが実物大長さとなる両位置を示す指示画像データを取得する指示画像データ取得手段と、前記物体画像のドットサイズを、前記表示サイズと、表示装置の表示面のドットピッチと、に基づいて制御するドットサイズ制御手段と、前記ドットサイズ制御手段による制御後の前記物体画像を第１メモリに出力するとともに、前記指示画像データに基づいて生成される指示画像を第２メモリに出力する出力手段と、前記第１メモリに記憶される画像と、前記第２メモリに記憶される画像と、を合成する画像合成手段と、を含むことを特徴とする。
【００１５】
また、本発明のさらに他の一側面にかかる画像データ出力装置は、立体物の平面投影画像を含む物体画像の印刷サイズを取得する印刷サイズ取得手段と、前記印刷サイズで前記物体画像を印刷した場合に、該物体画像内に表示される前記平面投影画像中の２つの位置であって、その間の長さが実物大長さとなる両位置を示す指示画像データを取得する指示画像データ取得手段と、前記物体画像のドットサイズを、前記表示サイズと、プリンタの解像度と、に基づいて制御するドットサイズ制御手段と、前記ドットサイズ制御手段による制御後の前記物体画像と、前記指示画像データと、を前記プリンタに対して出力する出力手段と、を含むことを特徴とする。
【００１６】
また、本発明にかかる画像データ表示方法は、立体物の平面投影画像を含む物体画像の表示サイズを取得する表示サイズ取得ステップと、前記表示サイズで前記物体画像を表示した場合に、該物体画像内に表示される前記平面投影画像中の２つの位置であって、その間の長さが実物大長さとなる両位置を示す指示画像データを取得する指示画像データ取得ステップと、前記物体画像を前記表示サイズで表示し、併せて前記指示画像データに基づく表示処理を行う表示ステップと、を含むことを特徴とする。
【００１７】
また、本発明にかかるプログラムは、立体物の平面投影画像を含む物体画像の表示サイズを取得する表示サイズ取得手段、前記表示サイズで前記物体画像を表示した場合に、該物体画像内に表示される前記平面投影画像中の２つの位置であって、その間の長さが実物大長さとなる両位置を示す指示画像データを取得する指示画像データ取得手段、及び前記物体画像と前記指示画像データと前記表示サイズとを表示装置に対して出力する出力手段、としてコンピュータを機能させるためのプログラムである。
【００１８】
また、本発明の他の一側面にかかるプログラムは、立体物の平面投影画像を含む物体画像の表示サイズを取得する表示サイズ取得手段、前記表示サイズで前記物体画像を表示した場合に、該物体画像内に表示される前記平面投影画像中の２つの位置であって、その間の長さが実物大長さとなる両位置を示す指示画像データを取得する指示画像データ取得手段、前記物体画像のドットサイズを、前記表示サイズと、表示装置の表示面のドットピッチと、に基づいて制御するドットサイズ制御手段、及び前記ドットサイズ制御手段による制御後の前記物体画像と、前記指示画像データと、を前記表示装置に対して出力する出力手段、としてコンピュータを機能させるためのプログラムである。
【発明を実施するための最良の形態】
【００１９】
以下、図面を参照しながら、本発明の実施形態について説明する。
［実施形態１］
図１は、本発明の実施形態１にかかる画像データ表示システム１０ａのシステム構成を示す図である。同図に示すように、画像データ表示システム１０ａは、測定装置２、撮像装置３、サーバ装置４、表示装置５ａ、画像データ出力装置２０ａを含んで構成される。
【００２０】
測定装置２は、３次元の立体構造を有する物体（立体物）である物体１（ソファー、ミルクチーズケーキ、自動車、傘、指輪等）の長さを測定する装置である。具体的な例では、巻尺、定規、光学式距離測定装置等である。
【００２１】
撮像装置３は、物体１を撮影し、立体物の平面投影画像である物体画像を取得する装置であり、例えばカメラが相当する。なお、撮像装置３が生成する物体画像のデータ形式はどのようなものであってもよく、例えば、ＲＧＢ(Red Green Blue)信号等のアナログ信号形式や、ＭＰＥＧ(Moving Picture Experts Group)−１、ＭＰＥＧ−２、ＭＰＥＧ−４、Ｈ−２６３、Ｈ−２６４等のデジタル信号形式を用いることができる。
【００２２】
サーバ装置４は、ユーザから、撮像装置３が取得した物体画像と、その表示サイズ及び長さ情報と、の入力を受け付け、画像データ出力装置２０ａに送信する。
ここで、表示サイズ及び長さ情報について説明する。まず、ユーザは、サーバ装置４に対して上記物体画像の表示サイズを入力する。この表示サイズは、２次元のディスプレイである表示装置５ａが上記物体画像を表示する際の表示サイズであり、センチメートルやインチ等の長さを示す情報である。すなわち、２次元の上記物体画像を含む最小の矩形枠の縦横の寸法である。例えば、５６ｃｍ×３０ｃｍのようなものである。そして、ユーザは、測定装置２を用いて、入力した表示サイズで上記物体画像が表示される際に丁度実物大長さとなる部分の長さを測定する。長さ情報は、この測定の対象となった部分の両端位置を示す情報（上記物体画像内での位置座標）と、測定結果としての長さを示す情報と、を含む情報である。上記両端位置は、物体画像を見たユーザが、実物大長さを実感しやすい位置とすることが好適であり、例えば後述する図４に示すようなミルクチーズケーキでは、上面の画面横方向最長部の両端位置とすることが好適である。また、後述する図２０に示すような「開いた傘」では、傘布部の画面横方向の最長部の両端とすることが好適である。なお、以下では、表示サイズと長さ情報とをまとめて表示関連情報と称することがある。
【００２３】
表示装置５ａは、液晶ディスプレイ、プラズマディスプレイ、有機エレクトロルミネッセンスディスプレイ、その他の表示デバイスであり、表示装置５ａの表示面は、例えばドットマトリクス（平面上においてマトリクス状に整列配置された多数の表示ドットからなるマトリクス）により構成される。この表示装置５ａは、画像データ出力装置２０ａに備えられるものであってもよいし、画像データ出力装置２０ａとは別体の装置であってもよい。以下では、表示装置５ａと画像データ出力装置２０ａとは別体の装置であるとして説明する。表示装置５ａの具体的な処理については、画像データ出力装置２０ａの説明の後に説明する。
【００２４】
以下、画像データ出力装置２０ａについて説明する。図２は、画像データ出力装置２０ａの詳細構成を示す概略ブロック図である。同図に示すように、画像データ出力装置２０ａは、物体画像取得部２１、表示関連情報取得部２２、出力用画像データ生成部３０ａ、ユーザインターフェイス部５０、画像データ送信部８０を含んで構成される。また、図３は、画像データ出力装置２０ａの処理フローを示す図である。以下、図２及び図３を参照しながら、画像データ出力装置２０ａについて説明する。
【００２５】
物体画像取得部２１は通信デバイスであり、上記物体画像をサーバ装置４から受信する（ステップＳ１）。表示関連情報取得部２２も通信デバイスであり、上記長さ情報及び上記表示サイズをサーバ装置４から受信する（表示サイズ取得手段、ステップＳ２）。
【００２６】
出力用画像データ生成部３０ａは情報処理デバイスであり、上記長さ情報から、上記両端位置の位置座標と該両端位置の間の実物大長さとを取得する。そして、取得した各位置座標を示すとともに、取得した実物大長さを示すデータ（文字列）を含む指示画像データを生成・取得する（指示画像データ取得手段、ステップＳ３）。そして、上記物体画像と上記指示画像データと上記表示サイズとを含む出力用画像データを生成・取得する（ステップＳ４）。
【００２７】
画像データ送信部８０は有線、無線、又は赤外線を用いて通信を行う通信デバイスであり、出力用画像データ生成部３０ａが生成した出力用画像データを表示装置５ａに出力する（出力手段、ステップＳ５）。
【００２８】
ここで、出力用画像データの具体例について説明する。
まず、図４（Ａ）は、物体画像の例を示す図である。同図の例において、物体１は円柱形のミルクチーズケーキである。この物体画像は、上記表示サイズが５６ｃｍ×３０ｃｍであるときに、位置Ｐ１と位置Ｐ２の間の長さが実物大となるように構成されている。
【００２９】
次に、図４（Ｂ）は、指示画像データの表示例（指示画像）を示す図である。同図に示す指示画像は、位置Ｐ１と位置Ｐ２を結ぶ両方向矢印と、位置Ｐ１と位置Ｐ２の間の実物大長さを示す文字列（「５０ｃｍ」）と、を含んで構成されている。
【００３０】
図４（Ｃ）は、図４（Ｂ）に対応する指示画像データの一例を示す図である。なお、ここでは、位置Ｐ１及び位置Ｐ２の物体画像内の位置座標を、それぞれ（ｘ１，ｙ１）及び（ｘ２，ｙ２）とする。同図に示すように、指示画像データは、両方向矢印を表示すべきことを指示するための指示データ「両矢印」と、その両矢印の始点が位置Ｐ１であることを示すデータ「始点（ｘ１，ｙ１）」と、その両矢印の終点が位置Ｐ２であることを示すデータ「終点（ｘ２，ｙ２）」と、併せて表示すべき文字列が「５０ｃｍ」であることを示すデータ「Ｔｅｘｔ｛５０ｃｍ｝」と、を含んで構成される。
【００３１】
図４（Ｄ）は、表示装置５ａにおける出力用画像データの表示例である。同図に示すように、表示装置５ａでは、物体画像と指示画像とが重なって表示される。この表示により、ユーザは、物体１の画像の中で実物大長さとなっている部分を確認できる。
【００３２】
図５は、出力用画像データの一例を示す図である。同図にはＳＶＧ(Scalable Vector Graphics)を用いて生成された出力用画像データの例を示しており、図４とは指示画像データの形式が異なっている。この出力用画像データは、＜ｓｖｇ＞要素、＜ｉｍａｇｅ＞要素、＜ｐａｔｈ＞要素、＜ｔｅｘｔ＞要素の各要素を含んで構成される。
【００３３】
＜ｓｖｇ＞要素は、ｗｉｄｔｈ属性、ｈｅｉｇｈｔ属性、ｖｉｅｗｂｏｘ属性を有し、＜ｓｖｇ＞と＜／ｓｖｇ＞の間に挟まれるデータが、出力用画像データとして表示装置５ａにより認識される。出力用画像データ生成部３０ａは、＜ｓｖｇ＞要素のｗｉｄｔｈ属性及びｈｅｉｇｈｔ属性に上記表示サイズ（図５では５６ｃｍ及び３０ｃｍ）を設定する。また、ｖｉｅｗｂｏｘ属性に上記表示サイズの表示領域に設定すべきドット空間のドットサイズ（図５では５６０ドット×３００ドット）を設定する。本実施形態においては、ｖｉｅｗｂｏｘ属性に設定されるドットサイズは、物体画像取得部２１から入力される物体画像のドットサイズである。
【００３４】
＜ｉｍａｇｅ＞要素、＜ｐａｔｈ＞要素、＜ｔｅｘｔ＞要素には、表示装置５ａが表示する画像にかかるデータが設定される。具体的には、＜ｉｍａｇｅ＞要素は、ｘｌｉｎｋ：ｈｒｅｆ属性、ｘ属性、ｙ属性、ｗｉｄｔｈ属性、ｈｅｉｇｈｔ属性を有している。ｘｌｉｎｋ：ｈｒｅｆ属性はイメージファイルの記憶場所を設定するためのものであり、ここで設定されるイメージファイルは出力用画像データの一部を構成する。出力用画像データ生成部３０ａは、イメージファイルの記憶場所をｘｌｉｎｋ：ｈｒｅｆ属性に設定する（図５では「．／ｏｂｊ．ｊｐｇ」）。また、イメージファイルにより示される画像の左上角の上記ドット空間内での座標をｘ属性及びｙ属性に設定する（図５では、いずれも３０ドット）。さらに、該画像のドットサイズをｗｉｄｔｈ属性及びｈｅｉｇｈｔ属性に設定する（図５では５００ドット×２４０ドット）。
【００３５】
また、＜ｐａｔｈ＞要素は、ｄ属性を有している。このｄ属性にはＭ、Ｌ、Ｚの各文字と、複数の座標と、を指定することができ、指定した座標を結ぶ線分が表示装置５ａにより表示される。なお、Ｍ、Ｌ、Ｚはそれぞれ、注目座標の移動、隣接座標間の線分の描画開始、描画終了を示している。出力用画像データ生成部３０ａは、図４（Ｂ）に示した両方向矢印を表示装置５ａに描画させるための座標群を＜ｐａｔｈ＞要素に設定する。
【００３６】
また、＜ｔｅｘｔ＞要素は、ｘ属性及びｙ属性を有し、＜ｔｅｘｔ＞と＜／ｔｅｘｔ＞の間に表示される文字列が、上記ドット空間内のｘ属性及びｙ属性により示される位置に、表示装置５ａによって表示される。出力用画像データ生成部３０ａは、図４（Ｂ）に示した文字列「５０ｃｍ」の左上のドット座標（図５では２６０ドット×１２０ドット）をｘ属性及びｙ属性に設定し、さらに、＜ｔｅｘｔ＞と＜／ｔｅｘｔ＞の間に、文字列「５０ｃｍ」を設定する。
【００３７】
表示装置５ａは、以上説明した出力用画像データから、物体画像、指示画像データ、表示サイズを取り出す。なお、図５の例における物体画像は、イメージファイルｏｂｊ．ｊｐｇにより示される画像を含む５６０×３００ドットの画像である。そして、上記物体画像を上記表示サイズで表示し、併せて指示画像データに基づく表示処理を行う。
【００３８】
図５の例を参照しながら表示装置５ａの処理についてより詳細に説明する。表示装置５ａはまず、ｖｉｅｗｂｏｘ属性により指定されるドットサイズのドット空間に、＜ｉｍａｇｅ＞要素、＜ｐａｔｈ＞要素、＜ｔｅｘｔ＞要素の各要素により示される画像を描画する。次に、表示装置５ａは、＜ｓｖｇ＞要素のｗｉｄｔｈ属性及びｈｅｉｇｈｔ属性に設定される表示サイズの表示領域があると仮定して、ドットマトリクスのドットピッチ（表示面のドットピッチ）に基づき、該表示領域のドットサイズを取得する。すなわち、表示装置５ａは、上記表示サイズを上記ドットピッチで除算することにより得られる数値を、上記表示領域のドットサイズとして取得する。続いて、表示装置５ａは、描画により得ている画像（ｖｉｅｗｂｏｘ属性により指定されるドットサイズの画像）を、例えば線形補完処理により、上記表示領域のドットサイズまで拡大又は縮小（伸縮）する。そして、伸縮後の画像を、用意した表示領域に表示する。
【００３９】
図６は、表示装置５ａによる上記表示をより分かりやすく説明するための説明図である。同図の例では、表示サイズが５６ｃｍ×３０ｃｍであり、表示装置５ａには、この表示サイズを含む出力用画像データが入力される。表示装置５ａは、入力された出力用画像データに基づいて描画処理を行って画像を取得し、表示サイズが５６ｃｍ×３０ｃｍの表示領域のドットサイズまで伸縮してから表示する。こうして表示される画像は、５６ｃｍ×３０ｃｍの表示領域に丁度収まることになる。
【００４０】
さて、図２及び図３に戻り、画像データ出力装置２０ａについて引き続き説明する。
ユーザインターフェイス部５０は、表示装置５ａにおいて表示される画像に対するユーザの入力を受け付ける機能を有するキーボード、リモコン、マウス、マイク等を任意に有する入力デバイスである。ここでは、物体画像を実物大表示するための表示サイズ、物体画像の実物大表示の実施又は解除の指示、画面全体の拡大又は縮小の指示、画面の一部分の拡大又は縮小の指示、指示画像データの表示又は消去の指示、出力用画像データの回転又は変形の指示等の入力を受け付ける。出力用画像データ生成部３０ａは、ユーザインターフェイス部５０によってユーザ入力が受け付けられると（ステップＳ６の肯定判定）、受け付けられたユーザ入力に従って出力用画像データを再生成し、表示装置５ａに再出力する。なお、この場合、指示画像データにより示される各位置座標間の長さが必ずしも実物大長さでなくなる。そこで、出力用画像データ生成部３０ａは、そのような場合に、生成する出力用画像データ内に指示画像データを含めないようにしてもよい。
【００４１】
以上説明したように、実施形態１によれば、立体物の画像を２次元のディスプレイを用いて実物大表示する際、指示画像により、実物大長さとなっている部分を明示できる。
【００４２】
また、表示装置５ａにおいて表示される画像を見た者は、上記文字列により指示された部分の長さを知ることができる。
さらに、画像データ出力装置２０ａは、表示装置５ａに表示サイズを出力することにより、物体画像の実物大表示を実現できる。
【００４３】
ここで、長さ情報を入力するためのオーサリングツールについて説明する。このオーサリングツールは、サーバ装置４が実行するソフトウェアである。図７及び図８は、このオーサリングツールを実行することによってサーバ装置４のディスプレイ上に表示される画面の例を示している。まず、図７（Ａ）は、ディスプレイに物体画像を表示したものである。なお、物体画像の縦と横のドット数は既知である。図７（Ｂ）は、ユーザにより、図７（Ａ）の物体画像に対して、長さを表示したい部分に矢印が記入された状態を示している。また、図７（Ｃ）は、ユーザにより、図７（Ｂ）で記入された矢印の実物大長さ（ここでは５００ｍｍ）が入力された例を示している。サーバ装置４は、こうして入力された矢印と実物大長さから長さ情報を取得する。なお、サーバ装置４は、こうして入力された実物大長さを矢印のドット長さで除算することにより、ドットピッチを算出する処理も行う。
【００４４】
図７（Ｄ）は、物体画像の実物大表示のプレビューを行った例である。サーバ装置４は、画像データ出力装置２０ａと同様にして出力用画像データを生成することにより、このプレビューを行う。
【００４５】
続いて、図８（Ａ）では、ユーザは、画面上縦方向の矢印を入力している。サーバ装置４は、上述のようにして算出しておいたドットピッチと、入力された矢印のドット長さと、に基づき、矢印の実物大長さを算出する。そして、図８（Ａ）に示すように、矢印の長さ（ここでは１００ｍｍ）を自動入力する。なお、この処理は、２つの長さが同時に実物大表示され得るものである場合にのみ適用可能である。すなわち、上述のようにしてドットピッチを算出した場合、同じ値となる矢印間でのみ、自動入力処理を行うことができる。
【００４６】
図８（Ｂ）は、上述のようして自動入力された長さの数字を、ユーザが１２０ｍｍに変更した場合を示している。この場合、サーバ装置４は、変更後の数字に基づき、矢印のドット長さを算出し、自動的に矢印の長さを変更する。
以上説明したオーサリングツールを用いることにより、ユーザは、簡便に長さ情報を入力することができるようになる。
【００４７】
［実施形態２］
実施形態１では、表示装置５ａが表示サイズに合わせて物体画像を伸縮し、実物大表示を実現する例について説明した。これに対し、実施形態２では、ドットバイドット方式（物体画像の各ドットをドットマトリクスの各ドットと一対一対応させて表示する表示方式。）による表示を行う表示装置５ｂを用いる例について説明する。この場合、実物大表示を行うためには、ドットマトリクスのドットピッチに基づいて物体画像のドットサイズを制御し、ドットバイドット表示の結果として、物体画像が上記表示サイズとなるようにする機能を有する画像データ出力装置２０ｂを用いる必要がある。以下、具体的に説明する。
【００４８】
図９は、実施形態２にかかる画像データ表示システム１０ｂのシステム構成を示す図である。同図に示すように、画像データ表示システム１０ｂは、図１に示した画像データ表示システム１０ａのシステム構成において、画像データ出力装置２０ａ及び表示装置５ａを、それぞれ画像データ出力装置２０ｂ及び表示装置５ｂに置き換えたものである。
【００４９】
図１０は、画像データ出力装置２０ｂ及び表示装置５ｂの詳細構成を示す概略ブロック図である。同図において、図２に示したブロックと同じ機能を有するブロックには、図２と同じ符号を付している。同図に示すように、画像データ出力装置２０ｂは物体画像取得部２１、表示関連情報取得部２２、出力用画像データ生成部３０ｂ、リクエスト受信部５２、装置情報記憶部６０、画像データ送信部８０を含んで構成される。一方、表示装置５ｂは、ユーザインターフェイス部５０、リクエスト送信部５１、画像データ表示部９０を含んで構成される。
【００５０】
画像データ表示部９０の表示面はドットマトリクスにより構成されており、入力される画像をドットバイドット表示する。画像データ表示部９０の詳細は後述する。
装置情報記憶部６０は、画像データ表示部９０に備えられるドットマトリクスのドットピッチを記憶する記憶デバイスである。なお、装置情報記憶部６０には、その他にも表示装置５ｂに関する情報（表示画面の大きさ（画面サイズ）、解像度、視野角等の仕様、使用する通信プロトコル等）を記憶させてもよい。
【００５１】
出力用画像データ生成部３０ｂは、物体画像のドットサイズを、上記表示サイズと上記ドットマトリクスのドットピッチとに基づいて制御する（ドットサイズ制御手段）。例えば、上記表示サイズがＬ１ｃｍ×Ｌ２ｃｍで、ドットピッチがＭｃｍである場合、出力用画像データ生成部３０ｂは、物体画像のドットサイズを（Ｌ１／Ｍ）ドット×（Ｌ２／Ｍ）ドットとする。この制御は、より具体的には、例えば線形補完処理による、物体画像のドットサイズの拡大・縮小処理であり、制御の結果、出力用画像データ生成部３０ｂは、ドットサイズが伸縮された物体画像を得る。
【００５２】
出力用画像データ生成部３０ｂは、上記制御により得られた伸縮後の物体画像を用いて、出力用画像データ生成部３０ａと同様にして出力用画像データを生成する。このとき、出力用画像データ生成部３０ｂは、出力用画像データ生成部３０ａと同様に指示画像データの取得も行う（指示画像データ取得手段）が、指示画像データの内容も物体画像のドットサイズに応じて制御する。すなわち、例えば指示画像データの表示結果である指示画像が図４（Ｂ）に示したような両方向矢印である場合に、物体画像と重ねて表示される際、両方向矢印の両端が丁度物体画像内の上記両端位置に来るよう、指示画像データの内容を制御する。より具体的には、指示画像データ内に含まれる上記両端位置の位置座標を、伸縮後の物体画像内の上記両端位置の位置座標に合わせて変更する。画像データ送信部８０は、出力用画像データ生成部３０ｂが生成した出力用画像データを表示装置５ｂに出力する（出力手段）。
【００５３】
画像データ表示部９０は、画像データ出力装置２０ｂから入力される出力用画像データに含まれる物体画像を、その各ドットをドットマトリクスの各ドットと一対一対応させて表示する。物体画像のドットサイズが（Ｌ１／Ｍ）ドット×（Ｌ２／Ｍ）ドットであり、ドットマトリクスのドットピッチがＭｃｍである場合、結果的に表示される物体画像の表示サイズは、（Ｌ１／Ｍ）×Ｍｃｍ×（Ｌ２／Ｍ）×Ｍｃｍ＝Ｌ１ｃｍ×Ｌ２ｃｍとなる。すなわち、上記表示サイズで表示されることになる。なお、画像データ表示部９０は、表示装置５ａと同様にして、出力用画像データに含まれる指示画像データの表示も行う。
【００５４】
図１１は、出力用画像データ生成部３０ｂによる上記ドットサイズ制御及び画像データ表示部９０による上記表示を分かりやすく説明するための説明図である。同図の例では、表示サイズが５６ｃｍ×３０ｃｍである。表示装置５ｂは画像データ出力装置２０ｂに対して画像データ表示部９０に備えられるドットマトリクスのドットピッチが通知し、画像データ出力装置２０ｂの装置情報記憶部６０がこれを記憶する。出力用画像データ生成部３０ｂは、装置情報記憶部６０から上記ドットピッチを読み出し、画像データ表示部９０でドットバイドット表示された際の表示サイズが５６ｃｍ×３０ｃｍとなるよう物体画像のドットサイズを制御した上で出力用画像データを生成する。画像データ表示部９０がこうして生成された出力用画像データを表示すると、物体画像は、丁度５６ｃｍ×３０ｃｍの表示サイズで表示されることになる。
【００５５】
ところで、本実施形態では、ユーザインターフェイス部５０が表示装置５ｂ側に備えられる。ユーザインターフェイス部５０の機能自体は実施形態１で説明したものと同様であるが、ユーザインターフェイス部５０によって受け付けられたユーザ入力は、リクエスト送信部５１及びリクエスト受信部５２を介して出力用画像データ生成部３０ｂまで届けられる。出力用画像データ生成部３０ｂは、こうして届けられたユーザ入力に従い、出力用画像データ生成部３０ａと同様にして出力用画像データの再生成を行う。
【００５６】
以上説明したように、実施形態２によれば、実施形態１と同様、立体物の画像を２次元のディスプレイを用いて実物大表示する際、指示画像により、実物大長さとなっている部分を明示できる他、表示装置５ｂでドットバイドット表示されたときに上記表示サイズで表示されることになるよう物体画像のドットサイズを決定できるので、ドットバイドット表示を行う表示装置５ｂを用いる場合にも、実物大表示を実現できる。
【００５７】
［実施形態３］
実施形態３では、テレビ放送を受信し、放送画面と上記物体画像を同時に１つの画面に表示する機能を有する画像データ出力装置２０ｃについて説明する。なお、画像データ出力装置２０ｃは、画像データ出力装置２０ａ及び２０ｂとは異なり、内部に表示装置を備えている。
【００５８】
図１２は、実施形態３にかかる画像データ出力装置２０ｃの概要を説明するための説明図である。同図に示すように、画像データ出力装置２０ｃは、テレビ局７からテレビ放送を受信して放送画面Ｂ１と、サーバ装置４からネットワーク６を介して受信される物体画像Ｂ２とを、内蔵している表示装置に同時表示する。
【００５９】
図１３は、画像データ出力装置２０ｃのハードウェア構成を示す概略ブロック図である。同図に示すように、画像データ出力装置２０ｃはチューナー１００１、デスクランブラ（復号化）部１００２、トランスポートデコード部１００３、ビデオデコード部１００４、静止画デコード部１００５、グラフィック作成部１００６、動画メモリ１００７、静止画メモリ１００８、ＯＳＤ(On Screen Display)メモリ１００９、画像合成部１０１０、画像表示部１０１１、通信部１０１２、外部インタフェース１０１４、ＣＰＵ(Central Processing Unit)１０１７、ＲＡＭ(Random Access Memory)１０１８、プログラムメモリ１０１９、ユーザインターフェイス部１０２０を含んで構成される。これらの各構成はテレビ用ＬＳＩとして実現されるものである。
【００６０】
チューナー１００１は、外部の放送波を受信することにより放送データを取得する。なお、チューナー１００１に代えて、インターネットからマルチキャストもしくはユニキャストで放送データを受信する通信部を設けてもよい。デスクランブラ部１００２は、チューナー１００１で取得されたデータがスクランブルされているものである場合、そのスクランブルを解く。なお、データがパケット通信によって受信される場合には、パケット毎にデスクランブルすることが必要になる場合がある。トランスポートデコード部１００３は、デスクランブラ部１００２でデスクランブルされたデータからビデオデータ、ＪＰＥＧ(Joint Photographic Experts Group)などの静止画データ、電子番組表やデータ放送などの付加データ、音声データなどを抽出する。
【００６１】
ビデオデコード部１００４は、トランスポートデコード部１００３で抽出されたビデオデータ（ＭＰＥＧ２やＨ．２６４などの形式で作成されているもの）を復号化してビデオ画像を描画する。静止画デコード部１００５は、トランスポートデコード部１００３で抽出されたデータのうち静止画データを復号化し、静止画像を描画する。
【００６２】
グラフィック作成部１００６は、トランスポートデコード部１００３で抽出されたデータのうち付加データの表示画像を描画する。なお、一般には、付加データはＢＭＬ(Broadcast Markup Language)言語で記載されており、トランスポートデコード部１００３で抽出されると、まず後述するＣＰＵ１０１７により解釈される。グラフィック作成部１００６には、ＣＰＵ１０１７の解釈結果が入力される。
【００６３】
動画メモリ１００７はビデオデコード部１００４で描画されたビデオ画像を記憶する。静止画メモリ１００８は静止画デコード部１００５で描画された静止画像を記憶する。ＯＳＤメモリ１００９はグラフィック作成部１００６で描画された表示画像を記憶する。
【００６４】
画像合成部１０１０は、動画メモリ１００７、静止画メモリ１００８、ＯＳＤメモリ１００９に描画された領域をオーバーラップさせて最終の表示画面を合成する。画像合成部１０１０は、この合成処理を、所定の再描画時間間隔で定期的に行う。なお、画像合成部１０１０は、拡大・縮小・アルファブレンディングなどの処理を行う機能も有している。画像表示部１０１１は液晶ドライバ及び液晶ディスプレイであり、画像合成部１０１０により合成された表示画面をドットバイドット表示する。
【００６５】
通信部１０１２は、サーバ装置４などとインターネットプロトコルを用いて通信を行う。具体的にはＴＣＰ／ＩＰや、無線ＬＡＮ、電力線通信などのインタフェースである。ここでは、通信部１０１２は、サーバ装置４から、実施形態１や２と同様の物体画像、長さ情報、表示サイズを受信する（表示サイズ取得手段）。
【００６６】
外部インタフェース１０１４は、プリンタやデジカメ・携帯電話などの外部機器と通信を行う。具体的には、ＵＳＢ、赤外線、ブルートゥース、無線ＬＡＮなどのインターフェイスである。
【００６７】
ＣＰＵ１０１７は、プログラムメモリ１０１９に記憶されるプログラムを読み出し、読み出したプログラムに従って動作する。この動作により、ＣＰＵ１０１７は、画像データ出力装置２０ｃの全体を制御する。また、トランスポートデコード部１００３で抽出された付加データを解釈し、解釈結果をグラフィック作成部１００６に出力する処理や、サーバ装置４から通信部１０１２経由で受信される物体画像、長さ情報、表示サイズに基づいて静止画画像及び表示画像を生成し、それぞれ静止画メモリ１００８、ＯＳＤメモリ１００９に出力する処理も行う。
【００６８】
ＲＡＭ１０１８は、各種データを記憶するランダムアクセスメモリである。プログラムメモリ１０１９は、プログラムや固定データなどを保持するためのプログラムメモリであり、フラッシュメモリによって構成される。
【００６９】
図１４及び図１５は、画像データ出力装置２０ｃの行う処理のうち、物体画像Ｂ２（図１２）を表示するための処理の処理フローを示す図である。また、図１６は、同処理の説明図である。以下では、同処理について、図１４乃至図１６を参照しながら説明する。
【００７０】
まず、ＣＰＵ１０１７は、通信部１０１２が受信した物体画像のドットサイズを、画像表示部１０１１により表示された場合に上記表示サイズとなるよう、画像表示部１０１１のドットマトリクスのドットピッチに基づいて伸縮する（ドットサイズ制御手段）。具体的には、実施形態２で説明したものと同様である。そして、伸縮により得られた物体画像を、静止画像として静止画メモリ１００８（第１メモリ）に記憶させる（出力手段、図１４、ステップＳ２１）。なお、静止画メモリ１００８に記憶される画像は、グラフィックプレーンと呼ばれる。図１６（Ａ）にはグラフィックプレーンの例を示している。
【００７１】
次に、ＣＰＵ１０１７は、通信部１０１２が受信した長さ情報から、該長さ情報に含まれる上記両端位置の位置座標を取得し、取得した各位置座標を、上記伸縮後の上記両端位置の物体画像内の位置座標に合わせて変更する。変更後の各位置座標を示すとともに、上記長さ情報に含まれる実物大長さを示すデータ（文字列）を含む指示画像データを生成・取得する（指示画像データ取得手段）。そして、該指示画像データに基づく描画処理を行って指示画像を生成し、表示画像としてＯＳＤメモリ１００９（第２メモリ）に記憶させる（出力手段、図１４、ステップＳ２２）。なお、ＯＳＤメモリ１００９に記憶される画像は、ＯＳＤプレーンと呼ばれる。図１６（Ｂ）にはＯＳＤプレーンの例を示している。図１６（Ｂ）のＯＳＤプレーンにおいては、指示画像以外の部分は、透明となっている。
【００７２】
静止画メモリ１００８及びＯＳＤメモリ１００９はそれぞれ、記憶しているグラフィックプレーン及びＯＳＤプレーンを画像合成部１０１０へ出力する（図１４、ステップＳ２３）。
【００７３】
次に、画像合成部１０１０は、静止画メモリ１００８に記憶されるグラフィックプレーンのみを画像表示部１０１１に出力する（図１５、ステップＳ３１）。その後、ユーザインターフェイス部１０２０を介してユーザ指示の入力を待ち（図１５、ステップＳ３２）、ユーザ指示が入力されると、その指示がＯＳＤプレーンの表示指示であるか否かを判定する（図１５、ステップＳ３３）。ＯＳＤプレーンの表示指示でなければ、画像合成部１０１０の処理はステップＳ３１へ戻る。一方、ＯＳＤプレーンの表示指示であれば、画像合成部１０１０は、グラフィックプレーンにＯＳＤプレーンを重ね、画像表示部１０１１へ出力する（画像合成手段、図１５、ステップＳ３４）。その結果表示される画像は、図１６（Ｃ）のように、物体画像上に指示画像が表示されたものとなる。出力後、画像合成部１０１０は、ユーザから表示終了の指示を所定時間待機し（図１５、ステップＳ３５）、表示終了の指示が入力された場合、画像表示部１０１１の表示を終了させる。表示終了の指示が入力されない場合には、画像合成部１０１０の処理はステップＳ３２へ戻る。
【００７４】
以上説明したように、実施形態３によれば、実施形態１及び２と同様、立体物の画像を２次元のディスプレイを用いて実物大表示する際、指示画像により、実物大長さとなっている部分を明示できる他、放送画面と上記物体画像を同時に１つの画面に表示することができる。
【００７５】
なお、表示される物体画像の内容は、放送によって紹介される商品に関する情報であることが好ましい。そうした場合、ユーザは、放送を見ながら、ネットワークサービスを利用して、商品の詳細情報を取得することができる。しかも、商品は実物大で表示されるので、ユーザがその場でその商品を購入する確率を高めることができる。
【００７６】
具体的には、デジタル放送に含まれる番組情報（チャンネル情報のみでもよい。）を受信したテレビ（画像データ出力装置２０ｃ）が、特定のサーバ装置４にその番組情報を送信する。そして、サーバ装置４は、受信された番組情報を解析し、番組で紹介される商品を実物大で表示するためのコンテンツ（物体画像、長さ情報、表示サイズの組み合わせ）をテレビに配信する。こうすることで、画像データ出力装置２０ｃは、放送によって紹介される商品に関する情報を、指示画像データとともに実物大表示できるようになる。
【００７７】
［実施形態４］
実施形態４は、実施形態１の応用例である。本実施形態では、ＨＴＭＬ(Hyper Text Markup Language)により生成される画像（ＨＴＭＬ画像）の中に物体画像が含まれており、画像データ出力装置２０ａは、この物体画像を実物大表示するとともに、実物大長さとなっている部分を明示する。さらに、表示装置５ａの画面サイズによらず、ＨＴＭＬ画像全体が画面サイズ内に収まるよう、ＨＴＭＬ画像の内容を制御する。
【００７８】
図１７は、実施形態４の具体例を示す図である。また、図１８は、画像データ出力装置２０ａの処理を説明するための説明図である。以下、図１７及び図１８を参照しながら、画像データ出力装置２０ａの処理について説明する。
【００７９】
図１７（Ａ）はＨＴＭＬ画像の例である。図１８（Ａ）には、図１７（Ａ）のＨＴＭＬ画像の構成要素を示している。図１８（Ａ）に示すように、図１７（Ａ）のＨＴＭＬ画像には、「発売３日で１万個販売  驚きのミルクチーズケーキ」の文字列１と、「お店屋さんサイズ直径５０ｃｍ」の文字列２と、「実物大表示」の文字列が付されたボタン画像（以下、実物大表示指示ボタンという。）と、円柱形のミルクチーズケーキである物体１の物体画像（物体画像取得部２１によって取得されているもの）と、が含まれている。物体１の直径は５０ｃｍである。画像データ出力装置２０ａは、まず図１７（Ａ）のＨＴＭＬ画像を生成し、表示装置５ａに出力する。この時点では、物体画像は実物大表示されていない。
【００８０】
ユーザがユーザインターフェイス部５０を用いて実物大表示指示ボタンをクリックすると、画像データ出力装置２０ａは物体画像を実物大表示するための処理を開始する。すなわち、画像データ出力装置２０ａは、表示関連情報取得部２２によって取得されている長さ情報を用いて指示画像データを生成・取得するとともに、表示関連情報取得部２２によって取得されている表示サイズと、上記物体画像と、を含む出力用画像データを生成・取得する。そして、画像データ出力装置２０ａは、取得した出力用画像データを含むＨＴＭＬ画像を生成し、表示装置５ａに出力するのであるが、このとき、ＨＴＭＬ画像内の物体画像以外の要素を、表示装置５ａの画面サイズに応じて制御する。
【００８１】
図１７（Ｂ）は表示装置５ａが２６インチテレビ（画面サイズ約５３ｃｍ×約４０ｃｍ）である場合の例である。また、図１８（Ｂ）は、この例において用いられる画面レイアウトの例である。この例では、直径５０ｃｍの物体１を実物大表示すると、物体画像だけで画面のほぼ全面を埋め尽くしてしまい、他の画像を挟む余地がなくなる。従って、画像データ出力装置２０ａは、ＨＴＭＬ画像内に物体画像以外の要素を含めない。
【００８２】
一方、図１７（Ｃ）は表示装置５ａが４２インチテレビ（画面サイズ約８５ｃｍ×約６４ｃｍ）である場合の例である。また、図１８（Ｃ）は、この例において用いられる画面レイアウトの例である。この例では、直径５０ｃｍの物体１を実物大表示しても画面には十分な余白が残る。従って、画像データ出力装置２０ａは、ＨＴＭＬ画像内に、上記各文字列等の物体画像以外の要素を含める。
【００８３】
ところで、図１７（Ｂ）及び図１７（Ｃ）には、「定規を表示」の文字列が付されたボタン画像（以下、定規表示指示ボタンという。）を示している。これは、指示画像データの表示・非表示を切り替えるためのものであり、画像データ出力装置２０ａは、物体画像の実物大表示のために出力画像データを生成する際、この定規表示指示ボタンを含める。
【００８４】
ユーザがユーザインターフェイス部５０を用いて定規表示指示ボタンをクリックすると、画像データ出力装置２０ａは、指示画像データを含む出力用画像データを生成・取得し、取得した出力用画像データを含むＨＴＭＬ画像を生成し、表示装置５ａに出力する。図１７（Ｄ）は図１７（Ｃ）のＨＴＭＬ画像においてユーザがユーザ定規表示切替ボタンをクリックした結果、表示装置５ａに表示されるＨＴＭＬ画像の例である。同図に示すように、図１７（Ｄ）のＨＴＭＬ画像では指示画像データが表示されている。なお、図１７（Ｄ）に示されるように、指示画像データを含むＨＴＭＬ画像においては、画像データ出力装置２０ａは、定規表示指示ボタンに代えて「定規を消去」の文字列が付されたボタン画像（以下、定規消去指示ボタンという。）を描画する。ユーザがユーザインターフェイス部５０を用いて定規消去指示ボタンをクリックすると、画像データ出力装置２０ａは、指示画像データを含まない出力用画像データを生成・取得し、取得した出力用画像データを含むＨＴＭＬ画像を生成し、表示装置５ａに出力する。その結果、表示装置５ａに表示されるＨＴＭＬ画像は、図１７（Ｃ）のものに戻ることになる。
【００８５】
［実施形態５］
ところで、実物大の大きさで画像を表示した場合であっても、物体の大きさを直感的に感じることができない場合もある。これは人間の大きさの認知が相対的な情報から得られることが多いからである。このため、ユーザが知っているものと比較できるようにすることが望ましい。一方、相対的な比較は、ユーザシーンが近いものとの比較ができることが望ましい。ケーキにはカップ、上着にはズボンというようなものである。そこで、実施形態５では、画像データ出力装置２０ａは、実施形態４で説明したＨＴＭＬ画像内に、物体画像以外の要素として対象物の画像を表示する。
【００８６】
図１９は、実施形態５において、表示装置５ａにより表示されるＨＴＭＬ画像の例を示す図である。画像データ出力装置２０ａは、実物大表示を行う際、まず図１９（Ａ）のＨＴＭＬ画像を描画し、表示装置５ａに表示させる。このＨＴＭＬ画像は、対象物を選択可能に構成されており、ユーザは、ユーザインターフェイス部５０を用いていずれかの対象物を選択する。画像データ出力装置２０ａは、各対象物の画像を記憶するとともに、対象物画像ごとに、その長さ情報及び表示サイズを記憶しており、ユーザによって対象物が選択されると、選択された対象物の長さ情報から指示画像データを生成する。そして、生成した指示画像データと対象物画像と表示サイズとを含む出力用画像データを生成し、ＨＴＭＬ画像内に含めて表示装置５ａに出力する。
【００８７】
図１９（Ｂ）及び（Ｃ）は、以上のようにして生成されたＨＴＭＬ画像の表示装置５ａにおける表示例である。同図に示すように、このＨＴＭＬ画像内には、物体画像と対象物画像とが並列表示される。
【００８８】
なお、対象物としては、オンラインショッピングにおいて当該ユーザが過去に購入したことがあるもの、もしくはチェックしたものを用いることが好適である。すでに購入したものについては、ユーザがその実物を知っている可能性が高いからである。ユーザが知っているものを同時に表示することで、ユーザは、物体の大きさを直感的に感じることができるようになる。また、例えば、シャツとスカートとを同時に表示すれば、ユーザは、大きさだけでなく、形状、模様又は色彩のコーディネートを実感することもできる。
【００８９】
もちろん、ユーザが購入したものだけでなく、タバコの箱、食パン、身長１７５ｃｍの男性など、一般的なユーザが想像できるものを対象物として選択できるようにしてもよい。一方、例えば図１９の例では、表示対象の物体がケーキであるが、ケーキの大きさと著しくサイズの異なる指輪や人物など、ケーキとの比較対象になりにくいものは選択対象から外すことが好ましい。
【００９０】
なお、実施形態５を用いれば、大きさの異なる物体同士を比較できるようにすることも可能である。例えば、図２０（Ａ）は横幅７５ｃｍの傘を表す図であり、図２０（Ｂ）は横幅９０ｃｍの傘を表す図である。この例では、ユーザが傘を購入しようとしている場合の例であり、ユーザは実物大表示された２つの傘を比較した上で、購入する傘を決めることができる。
【００９１】
なお、傘のような比較的大きなものを実物大表示する場合、画面に収まりきらない可能性が高い。特に、２つの物体を１つの画面に表示する場合、画面に収まりきらなくなる可能性が高くなる。勿論、２つの画像を共に縮小して表示を行うことも考えられるが、図２０（Ｃ）では、実物大長さとなっている部分を残して、他の部分を切り取って表示している。すなわち、傘の大きさ比較では傘布の水平方向長さが重要であり、柄の部分は比較的重要でないので、柄の部分を切り取って各傘の物体画像を表示している。なお、図１９の例では物体画像と対象物画像とを左右方向に並べて表示していたが、図２０（Ｃ）では傘を上下に並列表示している。これは、比較の便のためであり、ユーザが、比較の対象となる複数の物体の表示位置関係を適宜選択できるようにすることが望ましい。
【００９２】
［実施形態６］
実施形態６も、実施形態１の応用例である。本実施形態では、表示対象である物体の実物大サイズに対して表示装置５ａの画面サイズが過小である場合について説明する。まず、図２１（Ａ）は、傘を実物大表示する場合において、十分な画面サイズがある場合を示している。一方、図２１（Ｂ）は、図２１（Ａ）と同じ傘を実物大表示する場合において、十分な画面サイズがない場合を示している。図２１（Ｂ）の場合、画像データ出力装置２０ａは、実物大表示で表示できる分だけ物体画像を描画するとともに、画面内の一部に、物体画像の全体を縮小して描画する。画像データ出力装置２０ａは、ユーザ指示に応じて物体画像の表示位置を適宜移動させるとともに、表示中の位置を、全体画像内に四角形で明示する。これにより、ユーザは、十分な画面サイズがない場合であっても実物大の傘を確認できるとともに、現在表示されているのが、全体中のどの部分であるかを確認することができる。
【００９３】
［実施形態７］
実施形態７も、実施形態１の応用例である。本実施形態では、表示対象である物体の実物大サイズに対して表示装置５ａの画面サイズが過大である場合について説明する。まず、図２２（Ａ）は、腕時計を実物大表示している例を示している。この例では、腕時計の時計表示部分の実物大長さ３５ｍｍに対して、画面サイズが過大であり、実物大表示であるとはいえ、小さすぎる表示となってしまっている。この場合、ユーザは、対象物を拡大することにより、対象物の詳細を見たいと思うことが多い。そこで、画像データ出力装置２０ａは、ユーザ指示に応じて、腕時計の大きさを長さ情報により示される実物大長さを基準として、所定の比率（例えば、実寸の２倍、４倍）で拡大して表示する（図２２（Ｂ））。画像データ出力装置２０ａは、指示画像データも同様に拡大して表示する。
【００９４】
なお、実施形態５で説明したように物体画像と対象物画像と並列表示する場合にも、同様に拡大表示することができ、この場合、画像データ出力装置２０ａは、それぞれの実物大長さを基準にしてそれぞれを拡大する。こうすることで、ユーザは、拡大後においても物体と対象物の大小関係を比較することが可能になる。
【００９５】
［実施形態８］
実施形態８も、実施形態１の応用例である。本実施形態では、１つの物体について２つ以上の基準面がある場合について説明する。立体物の平面投影画像では、カメラから異なる距離にある２つの部分を同時に実物大表示することはできない。しかし、画面を切り替えることにより、各部分を個別に実物大表示することは可能である。図２３は、椅子を正面から撮影した平面投影画像を示している。図２３（Ａ）では前脚部分が基準面であり、前脚間の長さが実物大長さ（４０ｃｍ）となっている。一方、図２３（Ｂ）では、背もたれ部分が基準面であり、その横方向長さが実物大長さ（３０ｃｍ）となっている。
【００９６】
画像データ出力装置２０ａは、前脚部分の実物大長さを示す長さ情報及び前脚部分の表示長さが実物大長さとなる表示サイズと、背もたれ部分の実物大長さを示す長さ情報及び背もたれ部分の表示長さが実物大長さとなる表示サイズと、の２種類の長さ情報及び表示サイズの組み合わせを記憶している。画像データ出力装置２０ａは、出力用画像データ生成時に「基準の移動」ボタンを画面内に描画しており、ユーザがこのボタンをクリックすると、出力用画像データを再生成するのであるが、その際、上記２種類の長さ情報及び表示サイズの組み合わせを切り替えつつ、出力用画像データを再生成する。その結果、図２３（Ａ）と図２３（Ｂ）とが交互に表示されることになる。
【００９７】
なお、図２３の例は２つの基準面を切り替える場合の例であるが、椅子の３次元モデルを用いることにより、任意の面を基準面として用いることができるようになる。すなわち、３次元モデルを用いると、任意の位置間の長さ及びその長さを実物大にするための表示サイズを算出することができるので、ユーザが指示画像データを表示する部分を指定し、その指定に応じて物体を拡大乃至回転させることにより、指定された部分の長さを実物大で表示することが可能になる。また、奥行き情報を取得できるカメラで撮影を行った場合においても、３次元モデルを用いる場合と同様に、ユーザによって指定された部分の長さを実物大で表示することが可能になる。
【００９８】
また、一般に、ユーザが最も直感的に物体を実物大として感じられる表示形態は、図２３（Ｃ）のように、その物体の最前面がちょうど画面の位置にある表示形態である。つまり、テレビ画面を窓として考えた場合、物体が窓の裏側にちょうど接しているように表示されている場合である。そこで、図２３（Ｃ）に示すような「最前面に移動」ボタンを画面内に配置し、ユーザがこのボタンを押下することで、基準を最前面に移動することとしてもよい。また、この表示形態を初期の表示形態としてもよい。
【００９９】
［実施形態９］
実施形態９も、実施形態１の応用例である。本実施形態では、表示装置５ａに表示される物体の地上高さを、実物の高さと適合させる例について説明する。
【０１００】
図２４（Ａ）は、表示対象物としての自動車を実物の自動車よりも大きな画面サイズの表示装置５ａに表示したものである。遠くから見る広告・宣伝の目的では、図２４（Ａ）のように自動車全体を表示装置５ａに表示することが望ましいが、購買の目的で自動車の大きさを体感したい場合には、表示する自動車の地上高さを実物に合わせることが望ましい。そこで、画像データ出力装置２０ａに、表示装置５ａの設置高さ（表示部分の一番下の部分の地面からの高さ）を、予め入力しておく。また、長さ情報には、物体の高さ方向の長さ（高さ情報）も含めておく。画像データ出力装置２０ａは、サーバ装置４から受信した長さ情報から高さ情報を取得し、取得した高さ情報と予め入力された設置高さとに基づき、物体画像の画面内表示位置を制御することにより、図２４（Ｂ）に示すような、実物高さでの表示を実現する。
なお、この例では、高さが実際どれくらいあるのかをユーザに分かりやすくするために、高さ方向の指示画像データを表示することが望ましい。
【０１０１】
［実施形態１０］
実施形態１０は、実施形態２の応用例である。本実施形態では、画像データ出力装置２０ｂにプリンタを接続し、実物大のプリントを行う例について説明する。
【０１０２】
図２５に示す例においては、画像データ出力装置２０ｂは、表示装置５ｂのドットピッチに加え、プリンタの解像度も記憶している。そして、物体画像が表示装置５ｂに実物大表示されるよう表示装置５ｂのドットピッチに基づいて物体画像のドットサイズを制御するのと同様にして、プリンタの解像度に基づいて物体画像及び指示画像データのドットサイズを制御する。この場合、物体画像の上記表示サイズは、印刷サイズとなる。画像データ出力装置２０ｂは、制御後の物体画像及び指示画像データを含む出力用画像データをプリンタに出力する。プリンタでの印刷はドットバイドットで行われるので、プリンタによって印刷された物体画像のサイズは上記印刷サイズとなる。なお、出力用画像データに指示画像データを含めるかどうかは、ユーザの選択により決定される。
【０１０３】
ところで、プリント用紙のサイズが物体画像の印刷サイズより小さい場合があり得る。この場合、画像データ出力装置２０ｂは、出力用画像データを分割してプリンタに送信する。その結果、図２５に示すように、物体画像が分割して印刷される。なお、例えば物体画像が２枚の紙面に分割される場合には、図２５の印刷結果例のように、一方の縁に余白を残し、それと対になる部分には余白を残さずに印刷することにより、ユーザが後から分割されてプリントアウトされた紙をつなげることが容易になるようにすることが好適である。ユーザは、上述のようにして実物大のプリントを行い、実物大のプリントを持ち運ぶことで、家具を部屋に配置できるか否か、床の間に花瓶を置いたらどういう状況になるのか、などを簡単に検証できるようになる。
【０１０４】
［実施形態１１］
実施形態１１は、実施形態１の応用例である。本実施形態では、画像データ出力装置２０ａが携帯電話であり、携帯電話の画面で見ている情報を、ユーザ操作によりテレビ（表示装置５ａ）に送る例について説明する。
【０１０５】
携帯電話を使うと非常に簡便にネットワークサービスにアクセス可能であるが、その一方携帯電話のディスプレイの画面は非常に小さく、物体の実物大表示が困難である場合が多い。そこで、携帯電話は、図２６のように、ユーザの指示に応じて、画面に表示中の物体画像にかかる出力画像データを生成してテレビに送信する。その結果、テレビの画面に、上記物体画像が実物大表示される。
【０１０６】
なお、携帯電話や携帯端末装置からディスプレイに送る手段は、無線ＬＡＮや赤外線通信、インターネットメールなどいろいろ存在するが、その手段はどのようなものであってもよい。また、携帯電話から直接テレビに出力画像データを送ってもよいし、物体画像とその長さ情報及び表示サイズがインターネット上のデータベースに記憶されている場合には、そのデータベースのアドレスを携帯電話からテレビに送り、テレビは、受信されたアドレスに基づいてインターネットにアクセスすることにより物体画像とその長さ情報及び表示サイズを取得することとしてもよい。
【０１０７】
以上本発明の実施の形態について説明したが、本発明はこうした実施の形態に何等限定されるものではなく、本発明は、その要旨を逸脱しない範囲において、種々なる態様で実施され得ることは勿論である。
【０１０８】
例えば、上記各実施形態では、サーバ装置４から直接画像データ出力装置２０ａ等に物体画像等を送信していたが、物体画像、長さ情報、表示サイズをセットにしてネットワーク上のデータベース等に置いておき、画像データ出力装置２０ａ等は、そのデータベースから上記セットを取り出すようにしてもよい。
【０１０９】
また、画像データ出力装置２０ａ，２０ｂ，２０ｃの機能を実現するためのプログラムをコンピュータ読み取り可能な記録媒体に記録して、この記録媒体に記録されたプログラムを、各装置を構成するコンピュータシステムのプログラムメモリに読み込ませ、実行することにより、上記各処理を行ってもよい。
ここでいう「コンピュータシステム」とは、ＯＳや周辺機器等のハードウェアを含むものであってもよい。また、この「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
さらに、「コンピュータ読み取り可能な記録媒体」には、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
さらに、上記プログラムは、上述した各機能の一部を実現するためのものであってもよい。さらに、上述した各機能をコンピュータシステムにすでに記録されているプログラムとの組み合わせで実現できるもの、いわゆる差分ファイル（差分プログラム）であってもよい。
【図面の簡単な説明】
【０１１０】
【図１】本発明の実施形態１にかかる画像データ表示システムのシステム構成を示す図である。
【図２】本発明の実施形態１にかかる画像データ出力装置の詳細構成を示す概略ブロック図である。
【図３】本発明の実施形態１にかかる画像データ出力装置の処理フローを示す図である。
【図４】本発明の実施形態１にかかる物体画像の例を示す図である。
【図５】本発明の実施形態１にかかる出力用画像データの一例を示す図である。
【図６】本発明の実施形態１にかかる表示装置による表示を分かりやすく説明するための説明図である。
【図７】本発明の実施形態１にかかるオーサリングツールを実行することによってサーバ装置のディスプレイ上に表示される画面の例を示す図である。
【図８】本発明の実施形態１にかかるオーサリングツールを実行することによってサーバ装置のディスプレイ上に表示される画面の例を示す図である。
【図９】本発明の実施形態２にかかる画像データ表示システムのシステム構成を示す図である。
【図１０】本発明の実施形態２にかかる画像データ出力装置及び表示装置の詳細構成を示す概略ブロック図である。
【図１１】本発明の実施形態２にかかる出力用画像データ生成部によるドットサイズ制御及び画像データ表示部による表示を分かりやすく説明するための説明図である。
【図１２】本発明の実施形態３にかかる画像データ出力装置の概要を説明するための説明図である。
【図１３】本発明の実施形態３にかかる画像データ出力装置のハードウェア構成を示す概略ブロック図である。
【図１４】本発明の実施形態３にかかる画像データ出力装置の行う処理のうち、物体画像を表示するための処理の処理フローを示す図である。
【図１５】本発明の実施形態３にかかる画像データ出力装置の行う処理のうち、物体画像を表示するための処理の処理フローを示す図である。
【図１６】本発明の実施形態３にかかるグラフィックプレーン、ＯＳＤプレーン、及び表示画像の例を示す図である。
【図１７】本発明の実施形態４の具体例を示す図である。
【図１８】本発明の実施形態４にかかる画像データ出力装置の処理を説明するための説明図である。
【図１９】本発明の実施形態５において、表示装置により表示されるＨＴＭＬ画像の例を示す図である。
【図２０】本発明の実施形態５の具体例を示す図である。
【図２１】本発明の実施形態６の具体例を示す図である。
【図２２】本発明の実施形態７において、腕時計を実物大表示している例を示している。
【図２３】本発明の実施形態８にかかる椅子を正面から撮影した平面投影画像を示している。
【図２４】本発明の実施形態９において、表示対象物としての自動車を実物の自動車よりも大きな画面サイズの表示装置に表示したものである。
【図２５】本発明の実施形態１０にかかる画像データ出力装置のプリンタ出力の例を示す図である。
【図２６】本発明の実施形態１１にかかる携帯電話からテレビに対し、画面に表示中の物体画像にかかる出力画像データを生成してテレビに送信する例を示す図である。
【符号の説明】
【０１１１】
１  物体、
２  測定装置、
３  撮像装置、
４  サーバ装置、
５ａ，５ｂ  表示装置、
６  ネットワーク、
７  テレビ局、
１０ａ，１０ｂ  画像データ表示システム、
２０ａ，２０ｂ，２０ｃ  画像データ出力装置、
２１  物体画像取得部、
２２  表示関連情報取得部（表示サイズ取得手段）、
３０ａ，３０ｂ  出力用画像データ生成部（指示画像データ取得手段、ドットサイズ制御手段）、
５０  ユーザインターフェイス部、
５１  リクエスト送信部、
５２  リクエスト受信部、
６０  装置情報記憶部、
８０  画像データ送信部（出力手段）、
９０  画像データ表示部、
１００１  チューナー、
１００２  デスクランブラ部、
１００３  トランスポートデコード部、
１００４  ビデオデコード部、
１００５  静止画デコード部、
１００６  グラフィック作成部、
１００７  動画メモリ、
１００８  静止画メモリ（第１メモリ）、
１００９  ＯＳＤメモリ（第２メモリ）、
１０１０  画像合成部（画像合成手段）、
１０１１  画像表示部、
１０１２  通信部（表示サイズ取得手段）、
１０１４  外部インタフェース、
１０１７  ＣＰＵ（ドットサイズ制御手段、指示画像データ取得手段、出力手段）、
１０１８  ＲＡＭ、
１０１９  プログラムメモリ、
１０２０  ユーザインターフェイス部。
【図１】
0004510853.tif 000002
【図２】
0004510853.tif 000003
【図３】
0004510853.tif 000004
【図４】
0004510853.tif 000005
【図５】
0004510853.tif 000006
【図６】
0004510853.tif 000007
【図７】
0004510853.tif 000008
【図８】
0004510853.tif 000009
【図９】
0004510853.tif 000010
【図１０】
0004510853.tif 000011
【図１１】
0004510853.tif 000012
【図１２】
0004510853.tif 000013
【図１３】
0004510853.tif 000014
【図１４】
0004510853.tif 000015
【図１５】
0004510853.tif 000016
【図１６】
0004510853.tif 000017
【図１７】
0004510853.tif 000018
【図１８】
0004510853.tif 000019
【図１９】
0004510853.tif 000020
【図２０】
0004510853.tif 000021
【図２１】
0004510853.tif 000022
【図２２】
0004510853.tif 000023
【図２３】
0004510853.tif 000024
【図２４】
0004510853.tif 000025
【図２５】
0004510853.tif 000026
【図２６】
0004510853.tif 000027